(57)【特許請求の範囲】
【請求項１】
相対するデッキボードを連結する隅桁、中間桁及び中央桁を有するとともに、相対するデッキボードの相対する面上には、隅桁、中間桁及び中央桁の側壁にほぼ平行に、格子状に延在するリブが形成されている合成樹脂製パレットにおいて、隅桁と中間桁の双方に一番接近しているとともにデッキボードの全幅に亘たって延在するリブとこれらの桁の側壁との間隔及び中間桁と中央桁の双方に一番接近しているとともにデッキボードの全幅に亘たって延在するリブとこれらの桁の側壁との間隔を、デッキボードの全幅に亘たって延在する他のリブ間の間隔、隅桁と中間桁とを連結するリブ間の間隔及び中間桁と中央桁とを連結するリブ間の間隔より狭くしたことを特徴とする合成樹脂製パレット。
【請求項２】
隅桁と中間桁の双方に一番接近しているとともにデッキボードの全幅に亘たって延在するリブ及び中間桁と中央桁の双方に一番接近しているとともにデッキボードの全幅に亘たって延在するリブの幅を、デッキボードの全幅に亘たって延在する他のリブの幅より広くしたことを特徴とする請求項１に記載の合成樹脂製パレット。
【請求項３】
隅桁と中間桁の双方に一番接近しているとともにデッキボードの全幅に亘たって延在するリブとこれらの桁の側壁とを該側壁にほぼ直角な隣接リブにより連結するとともに、中間桁と中央桁の双方に一番接近しているとともにデッキボードの全幅に亘たって延在するリブとこれらの桁の側壁とを該側壁にほぼ直角な隣接リブにより連結したことを特徴とする請求項１又は請求項２に記載の合成樹脂製パレット。
【発明の詳細な説明】
【０００１】
【発明の属する技術分野】
本発明は、側面にフォーク差し込み口を有する合成樹脂製パレットに関するものである。
【０００２】
【従来の技術】
従来の合成樹脂製パレットの正面図である図５及び従来の合成樹脂製パレットの水平断面図である図６を用いて、一例としての従来の合成樹脂製パレットについて説明する。
【０００３】
従来、相対するデッキボードｐ１、ｐ１と、該相対するデッキボードｐ１、ｐ１を連結する、４つの角部に配設された隅桁１と、該隅桁１間の中間に配設された中間桁２と、相対するデッキボードｐ１、ｐ１の中央部に配設された中央桁３とを有する合成樹脂製パレットＰにおいて、相対するデッキボードｐ１、ｐ１の裏面（相対するデッキボードｐ１、ｐ１の相対する面を、裏面と称する。）に、隅桁１、中間桁２及び中央桁３の側壁に対して平行に、ほぼ等間隔に格子状に延びるリブ４、５（以下においては、説明の都合上、便宜的に、図６において、左右方向のリブ４を、横リブと称し、上下方向のリブ５を、縦リブと称する。）が形成された合成樹脂製パレットＰが知られている。
【０００４】
【発明が解決しようとする課題】
上述した従来の合成樹脂製パレットＰを、例えば、図５に示されているように、枕木６に載置した場合には、デッキボードｐ１の隅桁１側、中間桁２側及び中央桁側近傍ｐ１’に負荷が掛かるために、模擬的に二点鎖線で示されているように、合成樹脂製パレットＰの中央部が撓むという問題があった。
【０００５】
本発明の目的は、上述した従来の合成樹脂製パレットが有する課題を解決することにある。
【０００６】
【課題を解決するための手段】
本発明は、上述した目的を達成するために、相対するデッキボードを連結する隅桁、中間桁及び中央桁を有するとともに、相対するデッキボードの相対する面には、隅桁、中間桁及び中央桁の側壁にほぼ平行なリブが格子状に形成されている合成樹脂製パレットにおいて、第１には、隅桁、中間桁及び中央桁に一番接近しているとともにデッキボードの全幅に亘たって延在するリブと隅桁、中間桁及び中央桁の側壁との間隔を、デッキボードの全幅に亘たって延在するリブ間の間隔より狭くしたものであり、第２には、隅桁、中間桁及び中央桁に一番接近しているとともにデッキボードの全幅に亘たって延在するリブの幅を、他のリブの幅より広くしたものであり、第３には、隅桁、中間桁及び中央桁に一番接近しているとともにデッキボードの全幅に亘たって延在するリブと隅桁、中間桁及び中央桁の側壁とを、隅桁、中間桁及び中央桁の側壁にほぼ直角な隣接リブにより連結したものであり、第４には、隣接リブの幅を、他のリブの幅より広くしたものである。
【０００７】
【実施例】
以下に、図６と同様の合成樹脂製パレットの水平断面図である図１〜図４を用いて、本発明の実施例について説明するが、本発明の趣旨を超えない限り何ら、本実施例に限定されるものではない。なお、デッキボード、隅桁、中間桁、中央桁等の上述した従来の合成樹脂製パレットと同じ構成部材については、同じ符号を使用した。
【０００８】
図１に示されているように、本実施例においては、相対するデッキボードｐ１、ｐ１を連結する隅桁１、中間桁２及び中央桁３の各側壁１ａ、２ａ、３ａにほぼ平行に形成された横リブ４、縦リブ５のうち、少なくとも、隅桁１、中間桁２及び中央桁３に一番接近している横リブ４ａ及び縦リブ５ａと、隅桁１、中間桁２及び中央桁３の各側壁１ａ、２ａ、３ａとの間隔ｄ１を、各側壁１ａ、２ａ、３ａにほぼ平行に形成された他の横リブ４、縦リブ５のリブ間隔ｄ２より狭くしたものである。このように、隅桁１、中間桁２及び中央桁３に一番接近している横リブ４ａ及び縦リブ５ａと、隅桁１、中間桁２及び中央桁３の各側壁１ａ、２ａ、３ａとの間隔ｄ１を、各側壁１ａ、２ａ、３ａにほぼ平行に形成された他の横リブ４、縦リブ５のリブ間隔ｄ２より狭くすることにより、合成樹脂製パレットＰの重量を増加することなく、この部分の曲げ剛性を大きくすることができる。
【０００９】
また、隅桁１、中間桁２及び中央桁３に一番接近している横リブ４ａ及び縦リブ５ａと、隅桁１、中間桁２及び中央桁３の各側壁１ａ、２ａ、３ａとの間隔ｄ１を、他の横リブ４、縦リブ５のリブ間隔ｄ２より狭くすることにより、合成樹脂製パレットＰのフォーク差し込み口７の角部付近の強度が増加するので、フォーク差し込み口７にフォークを差し込んで、合成樹脂製パレットＰを持ち上げた際に負荷が掛かる部分を補強することができる。
【００１０】
図２に示されている実施例は、図１に示されている、隅桁１、中間桁２及び中央桁３に一番接近している横リブ４ａ及び縦リブ５ａの幅ｗ１を、リブ間隔の広い他の横リブ４、縦リブ５の幅ｗ２より幅広に形成したものであり、このように、隅桁１、中間桁２及び中央桁３に一番接近している横リブ４ａ及び縦リブ５ａの幅ｗ１を幅広に形成することにより、最も負荷の掛かる桁の近傍部分の曲げ剛性をより大きくすることができる。また、必要に応じて、隅桁１、中間桁２及び中央桁３の各側壁１ａ、２ａ、３ａに沿った横リブ４’、縦リブ５’の幅を、同様に、幅広に形成することにより、更に、桁の近傍部分の曲げ剛性をより大きくすることができる。
【００１１】
図３に示されている実施例は、隅桁１、中間桁２及び中央桁３に一番接近している横リブ４ａ及び縦リブ５ａと、隅桁１、中間桁２及び中央桁３の各側壁１ａ、２ａ、３ａとを、隅桁１、中間桁２及び中央桁３の各側壁１ａ、２ａ、３ａにほぼ直角な隣接リブ８で連結したものである。図３には、隣接リブ８が、それぞれ、隅桁１、中間桁２及び中央桁３に一番接近している横リブ４ａ及び縦リブ５ａと直交するリブ間隔の広い横リブ４、縦リブ５の中程に一本形成されている例が示されているが、必要に応じて、複数本形成することもできる。上記のように、隣接リブ８を、他のリブより密に形成することにより、更にまた、桁の近傍部分の曲げ剛性をより大きくすることができる。
【００１２】
図４に示されている実施例は、図３に示されている隣接リブ８の幅ｗ３及び横リブ４、縦リブ５のうち、隅桁１、中間桁２及び中央桁３の各側壁１ａ、２ａ、３ａから隅桁１、中間桁２及び中央桁３に一番接近している横リブ４ａ及び縦リブ５ａ迄に位置する部分の幅ｗ４を、幅広に形成したものである。このような構成とすることにより、なお更に、桁の近傍部分の曲げ剛性をより大きくすることができる。
【００１３】
上述した実施例においては、相対するデッキボードｐ１、ｐ１の裏面に、横リブ４ａ、縦リブ５ａを形成した例を示したが、デッキボードｐ１、ｐ１自体を横リブ４ａ、縦リブ５ａにより編み目状構造とした、即ち、デッキボードｐ１、ｐ１に、横リブ４ａと縦リブ５ａとにより透孔が形成された合成樹脂製パレットに、本発明を適用することもできる。
【００１４】
また、本実施例には、合成樹脂製パレットＰの各側面に、それぞれ、２つのフォーク差し込み口７が形成された、所謂、４方差しの合成樹脂製パレットＰが示されているが、合成樹脂製パレットの一方の相対する側面のみに、フォーク差し込み口が形成された、所謂、２方差しの合成樹脂製パレットに、本発明を適用することもできる。
【００１５】
【発明の効果】
本発明は、以上説明した構成を有しているので、以下に記載する効果を奏するものである。
【００１６】
合成樹脂製パレットの重量を増加することなく、最も負荷の掛かる桁の近傍部分の曲げ剛性を大きくすることができる。
【図面の簡単な説明】
【図１】図１は本発明の合成樹脂製パレットの水平断面図である。
【図２】図２は本発明の合成樹脂製パレットの別の実施例の水平断面図である。
【図３】図３は本発明の合成樹脂製パレットの更に別の実施例の水平断面図である。
【図４】図４は本発明の合成樹脂製パレットの更にまた別の実施例の水平断面図である。
【図５】図５は従来の合成樹脂製パレットの正面図である。
【図６】図５のＩ−Ｉ線に沿った従来の合成樹脂製パレットの水平断面図である。
【符号の説明】
Ｐ・・・・・・・・・・合成樹脂製パレット
１・・・・・・・・・・隅桁
２・・・・・・・・・・中間桁
３・・・・・・・・・・中央桁
４、４ａ・・・・・・・横リブ
５、５ａ・・・・・・・縦リブ
８・・・・・・・・・・隣接リブ
【図１】
0004338799.tif 000002
【図２】
0004338799.tif 000003
【図３】
0004338799.tif 000004
【図４】
0004338799.tif 000005
【図５】
0004338799.tif 000006
【図６】
0004338799.tif 000007